(57)【要約】【課題】本発明は、無線通信システムのハンドオーバー機能のために電力の消費という課題を解決することにある。【解決手段】本発明に係る無線通信装置９１は、帰属可能な基地局９２を検出するスキャン実行部１１と、スキャン実行部１１の検出した基地局９２の識別子を格納するスキャン結果格納部１２と、基地局９２に帰属して通信を行なう通信部１３と、ハンドオーバーをイ行なう帰属処理部１４と、スキャン結果格納部１２に識別子が格納されている基地局９２の数が複数であるか単数であるかを判定する無線通信環境判定部１５と、無線通信環境判定部１５が複数であると判定した場合には帰属処理部１４を動作させ、無線通信環境判定部１５が単数であると判定した場合には帰属処理部１４の動作を停止させるハンドオーバースイッチ部１６と、を備える。【選択図】図１
2011049787.tif 000002
【特許請求の範囲】
【請求項１】
帰属可能な基地局を検出するスキャン実行部と、
前記スキャン実行部の検出した基地局の識別子を格納するスキャン結果格納部と、
前記スキャン結果格納部に識別子が格納されている基地局に帰属して通信を行なう通信部と、
前記通信部の通信品質が劣化すると、前記スキャン結果格納部に識別子が格納されている他の基地局に帰属先を切り替える帰属処理部と、
前記スキャン結果格納部に識別子が格納されている基地局の数が複数であるか単数であるかを判定する無線通信環境判定部と、
前記無線通信環境判定部が複数であると判定した場合には前記帰属処理部を動作させ、前記無線通信環境判定部が単数であると判定した場合には前記帰属処理部の動作を停止させるハンドオーバースイッチ部と、
を備えることを特徴とする無線通信装置。
【請求項２】
前記スキャン実行部は、ネットワーク固有の識別子であるＥＳＳＩＤ（Ｅｘｔｅｎｄｅｄ  Ｓｅｒｖｉｃｅ  Ｓｅｔ  Ｉｄｅｎｔｉｆｉｅｒ）を含むプローブ要求信号を送信して、前記ＥＳＳＩＤを有する前記基地局から前記基地局固有の識別子であるＢＳＳＩＤ（Ｂａｓｉｃ  Ｓｅｒｖｉｃｅ  Ｓｅｔ  Ｉｄｅｎｔｉｆｉｅｒ）を含むプローブ応答信号を受信し、
前記スキャン結果格納部は、前記スキャン実行部の受信したプローブ応答信号から抽出したＢＳＳＩＤを格納し、
前記無線通信環境判定部は、
前記スキャン結果格納部が格納した前記ＢＳＳＩＤが複数である場合は基地局の数が複数であると判定し、前記ＢＳＳＩＤが単数である場合は基地局の数が単数であると判定する、
ことを特徴とする請求項１に記載の無線通信装置。
【請求項３】
前記スキャン実行部は、ネットワーク固有の識別子であるＥＳＳＩＤ（Ｅｘｔｅｎｄｅｄ  Ｓｅｒｖｉｃｅ  Ｓｅｔ  Ｉｄｅｎｔｉｆｉｅｒ）及び前記基地局固有の識別子であるＢＳＳＩＤ（Ｂａｓｉｃ  Ｓｅｒｖｉｃｅ  Ｓｅｔ  Ｉｄｅｎｔｉｆｉｅｒ）を含むビーコン信号を受信し、
前記スキャン結果格納部は、前記スキャン実行部の受信したビーコン信号から抽出したＢＳＳＩＤを格納し、
前記無線通信環境判定部は、
前記スキャン結果格納部が格納した前記ＢＳＳＩＤが複数である場合は基地局の数が複数であると判定し、前記ＢＳＳＩＤが単数である場合は基地局の数が単数であると判定する、
ことを特徴とする請求項１に記載の無線通信装置。
【請求項４】
帰属可能な基地局を前記スキャン実行部に検出させるスキャン制御部をさらに備えることを特徴とする請求項１から３のいずれかに記載の無線通信装置。
【請求項５】
前記スキャン制御部は、前記通信部の受信レベルが予め定められた値を下回ったことを判定して、前記通信部の受信レベルが予め定められた値を下回ったときに、帰属可能な基地局を前記スキャン実行部に検出させることを特徴とする請求項４に記載の無線通信装置。
【請求項６】
前記スキャン制御部は、一定時間経過するごとに、帰属可能な基地局を前記スキャン実行部に検出させることを特徴とする請求項４に記載の無線通信装置。
【請求項７】
前記スキャン制御部は、無線通信装置の起動時に、帰属可能な基地局を前記スキャン実行部に検出させることを特徴とする請求項４に記載の無線通信装置。
【請求項８】
請求項１から７のいずれかに記載の無線通信装置と、
前記基地局と、
を備えることを特徴とする無線通信システム。
【請求項９】
無線通信装置の帰属可能な基地局を検出するスキャン実行手順と、
前記スキャン実行手順で検出した基地局の識別子を格納するスキャン結果格納手順と、
前記スキャン結果格納手順で識別子が格納された基地局の数が複数であるか単数であるかを判定する無線通信環境判定手順と、
前記無線通信環境判定手順で複数であると判定した場合には、基地局と前記無線通信装置と通信品質が劣化すると前記スキャン結果格納手順で識別子を格納した他の基地局に帰属先を切り替えるハンドオーバー機能を有効にし、前記無線通信環境判定手順で単数であると判定した場合には、前記ハンドオーバー機能を無効にするハンドオーバースイッチ手順と、
を順に有する無線通信方法。
【請求項１０】
前記スキャン実行手順において、ネットワーク固有の識別子であるＥＳＳＩＤ（Ｅｘｔｅｎｄｅｄ  Ｓｅｒｖｉｃｅ  Ｓｅｔ  Ｉｄｅｎｔｉｆｉｅｒ）を含むプローブ要求信号を前記無線通信装置から基地局に送信して、前記ＥＳＳＩＤを有する前記基地局から前記基地局固有の識別子であるＢＳＳＩＤ（Ｂａｓｉｃ  Ｓｅｒｖｉｃｅ  Ｓｅｔ  Ｉｄｅｎｔｉｆｉｅｒ）を含むプローブ応答信号を前記無線通信装置で受信し、
前記スキャン結果格納手順において、前記スキャン実行手順で受信したプローブ応答信号から抽出したＢＳＳＩＤを格納し、
前記無線通信環境判定手順において、
前記スキャン結果格納手順で格納した前記ＢＳＳＩＤが複数である場合は基地局の数が複数であると判定し、前記ＢＳＳＩＤが単数である場合は基地局の数が単数であると判定する、
ことを特徴とする請求項９に記載の無線通信方法。
【請求項１１】
前記スキャン実行手順において、ネットワーク固有の識別子であるＥＳＳＩＤ（Ｅｘｔｅｎｄｅｄ  Ｓｅｒｖｉｃｅ  Ｓｅｔ  Ｉｄｅｎｔｉｆｉｅｒ）及び前記基地局固有の識別子であるＢＳＳＩＤ（Ｂａｓｉｃ  Ｓｅｒｖｉｃｅ  Ｓｅｔ  Ｉｄｅｎｔｉｆｉｅｒ）を含むビーコン信号を前記無線通信装置で受信し、
前記スキャン結果格納手順において、前記スキャン実行手順で受信したビーコン信号から抽出したＢＳＳＩＤを格納し、
前記無線通信環境判定手順において、
前記スキャン結果格納手順で格納した前記ＢＳＳＩＤが複数である場合は基地局の数が複数であると判定し、前記ＢＳＳＩＤが単数である場合は基地局の数が単数であると判定する、
ことを特徴とする請求項９に記載の無線通信方法。
【請求項１２】
前記基地局からの受信レベルが予め定められた値を下回ったことを判定するスキャン制御手順を前記スキャン実行手順の前にさらに有し、
前記スキャン制御手順において前記受信レベルが予め定められた値を下回ったと判定したときに前記スキャン実行手順を実行することを特徴とする請求項９から１１のいずれかに記載の無線通信方法。
【請求項１３】
一定時間経過したことを判定するスキャン制御手順を前記スキャン実行手順の前にさらに有し、
前記スキャン制御手順において前記一定時間経過したと判定したときに前記スキャン実行手順を実行することを特徴とする請求項９から１１のいずれかに記載の無線通信方法。
【請求項１４】
無線通信装置が起動したことを判定するスキャン制御手順を前記スキャン実行手順の前にさらに有し、
前記スキャン制御手順において無線通信装置が起動したと判定したときに前記スキャン実行手順を実行することを特徴とする請求項９から１１のいずれかに記載の無線通信方法。
【請求項１５】
スキャン実行部が基地局からの信号を受信して帰属可能な基地局を検出するスキャン実行ステップと、
前記スキャン実行部の検出した基地局の識別子をスキャン結果格納部に格納するスキャン結果格納ステップと、
前記スキャン結果格納部に識別子が格納されている基地局の数が複数であるか単数であるかを判定する無線通信環境判定ステップと、
基地局と通信を行なう通信部の帰属する基地局を切り替える帰属処理部を、前記無線通信環境判定ステップで複数であると判定した場合には動作させ、前記無線通信環境判定ステップで単数であると判定した場合には動作停止させるハンドオーバースイッチステップと、
を順にコンピュータに実行させる無線通信プログラム。
【請求項１６】
前記スキャン実行ステップにおいて、前記スキャン実行部がネットワーク固有の識別子であるＥＳＳＩＤ（Ｅｘｔｅｎｄｅｄ  Ｓｅｒｖｉｃｅ  Ｓｅｔ  Ｉｄｅｎｔｉｆｉｅｒ）を含むプローブ要求信号を送信して、前記ＥＳＳＩＤを有する前記基地局から前記基地局固有の識別子であるＢＳＳＩＤ（Ｂａｓｉｃ  Ｓｅｒｖｉｃｅ  Ｓｅｔ  Ｉｄｅｎｔｉｆｉｅｒ）を含むプローブ応答信号を受信し、
前記スキャン結果格納ステップにおいて、前記スキャン実行部の受信したプローブ応答信号から抽出したＢＳＳＩＤを前記スキャン結果格納部に格納し、
前記無線通信環境判定ステップにおいて、
前記スキャン結果格納部に格納されている前記ＢＳＳＩＤが複数である場合は基地局の数が複数であると判定し、前記ＢＳＳＩＤが単数である場合は基地局の数が単数であると判定する、
ことを特徴とする請求項１５に記載の無線通信プログラム。
【請求項１７】
前記スキャン実行ステップにおいて、前記スキャン実行部がネットワーク固有の識別子であるＥＳＳＩＤ（Ｅｘｔｅｎｄｅｄ  Ｓｅｒｖｉｃｅ  Ｓｅｔ  Ｉｄｅｎｔｉｆｉｅｒ）及び前記基地局固有の識別子であるＢＳＳＩＤ（Ｂａｓｉｃ  Ｓｅｒｖｉｃｅ  Ｓｅｔ  Ｉｄｅｎｔｉｆｉｅｒ）を含むビーコン信号を受信し、
前記スキャン結果格納ステップにおいて、前記スキャン実行部の受信したビーコン信号から抽出したＢＳＳＩＤを前記スキャン結果格納部に格納し、
前記無線通信環境判定ステップにおいて、
前記スキャン結果格納部に格納されている前記ＢＳＳＩＤが複数である場合は基地局の数が複数であると判定し、前記ＢＳＳＩＤが単数である場合は基地局の数が単数であると判定する、
ことを特徴とする請求項１５に記載の無線通信プログラム。
【請求項１８】
前記通信部の受信レベルが予め定められた値を下回ったことを判定するスキャン制御手順を前記スキャン実行ステップの前にさらに有し、
前記スキャン制御ステップにおいて前記受信レベルが予め定められた値を下回ったと判定したときに前記スキャン実行ステップを実行することを特徴とする請求項１５から１７のいずれかに記載の無線通信プログラム。
【請求項１９】
一定時間経過したことを判定するスキャン制御手順を前記スキャン実行ステップの前にさらに有し、
前記スキャン制御ステップにおいて前記一定時間経過したと判定したときに前記スキャン実行ステップを実行することを特徴とする請求項１５から１７のいずれかに記載の無線通信プログラム。
【請求項２０】
無線通信装置が起動したことを判定するスキャン制御手順を前記スキャン実行ステップの前にさらに有し、
前記スキャン制御ステップにおいて無線通信装置が起動したと判定したときに前記スキャン実行ステップを実行することを特徴とする請求項１５から１７のいずれかに記載の無線通信プログラム。
【発明の詳細な説明】
【技術分野】
【０００１】
本発明は、無線通信装置、無線通信装置及び基地局を備える無線通信システム、無線通信方法、並びに、無線通信プログラムに関する。
【背景技術】
【０００２】
無線通信装置は、基地局と通信を行なうため、帰属可能な基地局を検出する。スキャンの方法には２種類あり、パッシブ方式とアクティブ方式がある。パッシブ方式は、基地局が送信しているビーコン信号を監視することで、帰属可能な基地局を検出する。アクティブ方式は、無線通信装置からプローブ要求信号と呼ばれるネットワークの有無を問い合わせる信号を送信し、基地局からプローブ応答信号を受信することで、帰属可能な基地局を検出する。そして、無線通信装置は、帰属していた基地局との通信品質が低下すると、帰属する基地局を他の基地局に切り替えるハンドオーバー機能を備える。
【０００３】
無線通信システムの一例が特許文献１及び２に記載されている。特許文献１の無線通信システムでは、無線通信装置と、基地局を備え、以下のように動作する。無線通信装置は、無線通信装置の電源が投入された際、又は、無線通信装置が現在位置する基地局の通信エリアから別の通信エリアに移動した際、又は、無線通信装置が現在帰属している基地局との同期が外れた際、又は、ユーザが無線通信装置の設定を変更した際、又は、動作中のアプリケーションからの要求があった際、又は、その他の基地局検索要求が発生した際に、帰属可能な基地局の検索を行なう。そして、帰属可能な基地局が複数ある場合、無線通信装置は、最も受信品質のよい基地局を選択する。
【０００４】
特許文献２の無線通信システムは、無線通信装置と、基地局を備え、以下のように動作する。無線通信装置は、基地局を予め設定しておくことで、設定した基地局を１回のスキャンで見つける。また、基地局が１つしかないような家庭内のアクセスポイントの識別子を登録しておき、予め登録した識別子が検索された場合は、家庭内の基地局の通信エリアに帰属していることを判定する。
【先行技術文献】
【特許文献】
【０００５】
【特許文献１】特開２００４−３４３４５８号公報
【特許文献２】特開２００７−１０４４３２号公報
【発明の概要】
【発明が解決しようとする課題】
【０００６】
無線通信装置の場合、できるだけ消費電力を抑える必要がある。ハンドオーバーを行なう場合、無線通信装置は、基地局と通信を行なわなければならないため、常にハンドオーバーのために電力を消費することとなる。このため、上述した特許文献１においては、常にハンドオーバーのために電力を消費することとなるという問題点があった。
【０００７】
無線通信装置のユーザの移動範囲は限られない。予め登録した識別子が検索された場合にハンドオーバーを行なわないとしても、ユーザが無線通信装置に設定しなければならない。このため、上述した特許文献２においては、ハンドオーバー機能の動作を省略できる通信エリアはごく限られ、ハンドオーバーのために電力を消費することとなるという問題点があった。
【０００８】
本発明は、上述した無線通信システムのハンドオーバー機能のために電力の消費という課題を解決する無線通信システム及び無線通信装置及び無線通信方法及び無線通信プログラムを提供することにある。
【課題を解決するための手段】
【０００９】
上記目的を達成するために、本発明に係る無線通信装置は、帰属可能な基地局を検出するスキャン実行部と、前記スキャン実行部の検出した基地局の識別子を格納するスキャン結果格納部と、前記スキャン結果格納部に識別子が格納されている基地局に帰属して通信を行なう通信部と、前記通信部の通信品質が劣化すると、前記スキャン結果格納部に識別子が格納されている他の基地局に帰属先を切り替える帰属処理部と、前記スキャン結果格納部に識別子が格納されている基地局の数が複数であるか単数であるかを判定する無線通信環境判定部と、前記無線通信環境判定部が複数であると判定した場合には前記帰属処理部を動作させ、前記無線通信環境判定部が単数であると判定した場合には前記帰属処理部の動作を停止させるハンドオーバースイッチ部と、を備える。
【００１０】
上記目的を達成するために、本発明に係る無線通信システムは、本発明に係る無線通信装置と、基地局と、を備える。
【００１１】
上記目的を達成するために、本発明に係る無線通信方法は、無線通信装置の帰属可能な基地局を検出するスキャン実行手順と、前記スキャン実行手順で検出した基地局の識別子を格納するスキャン結果格納手順と、前記スキャン結果格納手順で識別子が格納された基地局の数が複数であるか単数であるかを判定する無線通信環境判定手順と、前記無線通信環境判定手順で複数であると判定した場合には、基地局と前記無線通信装置と通信品質が劣化すると前記スキャン結果格納手順で識別子を格納した他の基地局に帰属先を切り替えるハンドオーバー機能を有効にし、前記無線通信環境判定手順で単数であると判定した場合には、前記ハンドオーバー機能を無効にするハンドオーバースイッチ手順と、を順に有する。
【００１２】
上記目的を達成するために、本発明に係る無線通信プログラムは、スキャン実行部が基地局からの信号を受信して帰属可能な基地局を検出するスキャン実行ステップと、前記スキャン実行部の検出した基地局の識別子をスキャン結果格納部に格納するスキャン結果格納ステップと、前記スキャン結果格納部に識別子が格納されている基地局の数が複数であるか単数であるかを判定する無線通信環境判定ステップと、基地局と通信を行なう通信部の帰属する基地局を切り替える帰属処理部を、前記無線通信環境判定ステップで複数であると判定した場合には動作させ、前記無線通信環境判定ステップで単数であると判定した場合には動作停止させるハンドオーバースイッチステップと、を順にコンピュータに実行させる。
【発明の効果】
【００１３】
本発明によれば、無線通信システムのハンドオーバー機能のために電力の消費を低減することができる。
【図面の簡単な説明】
【００１４】
【図１】実施形態１に係る無線通信システムの一例を示す構成図である。
【図２】実施形態１に係る無線通信方法の一例を示す流れ図である。
【図３】実施形態１に係る無線通信プログラムの一例を示す流れ図である。
【図４】実施形態２に係る無線通信システムの一例を示す構成図である。
【図５】実施形態４に係る無線通信システムの一例を示す構成図である。
【図６】実施形態４に係る無線通信方法の一例を示す流れ図である。
【図７】実施形態４に係る無線通信プログラムの一例を示す流れ図である。
【図８】実施形態５に係る無線通信方法の一例を示す流れ図である。
【発明を実施するための形態】
【００１５】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１６】
（実施形態１）
図１は、本実施形態に係る無線通信システムの一例を示す構成図である。本実施形態に係る無線通信システムは、無線通信装置９１と、基地局９２と、を備える。
【００１７】
無線通信装置９１は、無線通信機能を備える端末装置であり、例えば、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）である。基地局９２は、ネットワークに接続する装置であり、いわゆるアクセスポイントである。無線通信装置９１は、基地局９２と通信を行なうことで、ネットワークに接続される。
【００１８】
無線通信装置９１は、スキャン実行部１１と、スキャン結果格納部１２と、通信部１３と、帰属処理部１４と、無線通信環境判定部１５と、ハンドオーバースイッチ部１６と、を備え、本実施形態に係る無線通信方法を実行する。
【００１９】
図２は、本実施形態に係る無線通信方法の一例を示す流れ図である。本実施形態に係る無線通信方法は、スキャン実行手順Ｓ１１１と、スキャン結果格納手順Ｓ１１２と、無線通信環境判定手順Ｓ１１３と、ハンドオーバースイッチ手順Ｓ１１４と、を順に有する。
【００２０】
スキャン実行手順Ｓ１１１では、無線通信装置９１の帰属可能な基地局９２を検出する。スキャン結果格納手順Ｓ１１２では、スキャン実行手順Ｓ１１１で検出した基地局９２の識別子を格納する。無線通信環境判定手順Ｓ１１３では、スキャン結果格納手順Ｓ１１２で識別子が格納された基地局９２の数が複数であるか単数であるかを判定する。これにより、無線通信装置９１は、ハンドオーバーの可能な無線通信環境か否かを判定することができる。
【００２１】
ハンドオーバースイッチ手順Ｓ１１４では、無線通信環境判定手順Ｓ１１３で複数であると判定した場合には無線通信装置９１のハンドオーバー機能を有効にし、無線通信環境判定手順Ｓ１１３で単数であると判定した場合には無線通信装置９１のハンドオーバー機能を無効にする。ここで、ハンドオーバー機能は、基地局９２と無線通信装置９１と通信品質が劣化するとスキャン結果格納手順Ｓ１１２で識別子を格納した他の基地局９２に帰属先を切り替える機能をいう。これにより、無線通信装置９１は、ハンドオーバー機能を有効にするか否かを自動で切り替えることができる。
【００２２】
例えば、図１に示す無線通信装置９１は以下のように動作する。スキャン実行部１１は、無線通信装置９１の帰属可能な基地局９２を検出する。スキャン結果格納部１２は、スキャン実行部１１の検出した基地局９２の識別子を格納する。基地局９２の識別子は、例えば、基地局９２のＭＡＣ（Ｍｅｄｉａ  Ａｃｃｅｓｓ  Ｃｏｎｔｒｏｌ）アドレスである。通信部１３は、スキャン結果格納部１２に識別子が格納されている基地局９２に帰属して通信を行なう。帰属処理部１４は、通信部１３の通信品質が劣化すると、スキャン結果格納部１２に識別子が格納されている他の基地局９２に帰属先を切り替え、ハンドオーバーを行なう。なお、無線通信装置９１は、例えば図示しないＲＦＩＣ（Ｒａｄｉｏ  Ｆｒｅｑｕｅｎｃｙ  Ｉｎｔｅｇｒａｔｅｄ  Ｃｉｒｃｕｉｔ）を用いて、基地局９２との間で通信を行なう。
【００２３】
無線通信環境判定部１５は、スキャン結果格納部１２に識別子が格納されている基地局９２の数が複数であるか単数であるかを判定する。これにより、無線通信装置９１は、ハンドオーバーの可能な無線通信環境か否かを判定することができる。
【００２４】
無線通信環境判定部１５が複数であると判定した場合には、ハンドオーバースイッチ部１６は、帰属処理部１４を動作させ、ハンドオーバー機能を有効にする。無線通信環境判定部１５が単数であると判定した場合には、ハンドオーバースイッチ部１６は帰属処理部１４の動作を停止させ、ハンドオーバー機能を無効にする。これにより、無線通信装置９１は、ハンドオーバー機能を有効にするか否かを自動で切り替えることができる。
【００２５】
本実施形態では、無線通信装置９１に代えて、本実施形態に係る無線通信プログラムをコンピュータに実行させてもよい。図３は、本実施形態に係る無線通信プログラムの一例を示す流れ図である。本実施形態に係る無線通信プログラムは、スキャン実行ステップＳ２１１と、スキャン結果格納ステップＳ２１２と、無線通信環境判定ステップＳ２１３と、ハンドオーバースイッチステップＳ２１４と、を順にコンピュータに実行させる。
【００２６】
スキャン実行ステップＳ２１１では、スキャン実行部１１が基地局９２からの信号を受信して帰属可能な基地局９２を検出する。スキャン結果格納ステップＳ２１２では、スキャン実行部１１の検出した基地局９２の識別子をスキャン結果格納部１２に格納する。無線通信環境判定ステップＳ２１３では、スキャン結果格納部１２に識別子が格納されている基地局９２の数が複数であるか単数であるかを判定する。ハンドオーバースイッチステップＳ２１４では、基地局９２と通信を行なう通信部１３の帰属する基地局９２を切り替える帰属処理部１４を、無線通信環境判定ステップＳ２１３で複数であると判定した場合には動作させ、無線通信環境判定ステップＳ２１３で単数であると判定した場合には動作停止させる。これにより、コンピュータを無線通信装置９１として機能させることができる。
【００２７】
本実施形態に係る無線通信システムは、ハンドオーバーの可能な無線通信環境か否かを判定し、ハンドオーバー機能を有効にするか否かを自動で切り替える。ハンドオ−バーが不可能な環境ではハンドオーバー機能の動作を自動的に停止させることができる。したがって、無線通信システムのハンドオーバー機能のために電力の消費を低減することができる。
【００２８】
（実施形態２）
本実施形態では、実施形態１で説明した帰属可能な基地局９２の検出をアクティブ方式で行なう。以下、具体的に説明する。
【００２９】
本実施形態に係る無線通信方法は、図２に示す実施形態１に係る無線通信方法と同様の手順を有する。本実施形態に係る無線通信方法では、スキャン実行手順Ｓ１１１において、アクティブ方式でスキャンを行なう。
【００３０】
スキャン実行手順Ｓ１１１において、ネットワーク固有の識別子であるＥＳＳＩＤ（Ｅｘｔｅｎｄｅｄ  Ｓｅｒｖｉｃｅ  Ｓｅｔ  Ｉｄｅｎｔｉｆｉｅｒ）を含むプローブ要求信号を無線通信装置９１から基地局９２に送信して、ＥＳＳＩＤを有する基地局９２から基地局９２固有の識別子であるＢＳＳＩＤ（Ｂａｓｉｃ  Ｓｅｒｖｉｃｅ  Ｓｅｔ  Ｉｄｅｎｔｉｆｉｅｒ）を含むプローブ応答信号を無線通信装置９１で受信する。スキャン結果格納手順Ｓ１１２において、スキャン実行手順Ｓ１１１で受信したプローブ応答信号から抽出したＢＳＳＩＤを格納する。無線通信環境判定手順Ｓ１１３において、スキャン結果格納手順Ｓ１１２で格納したＢＳＳＩＤが複数である場合は基地局９２の数が複数であると判定し、ＢＳＳＩＤが単数である場合は基地局９２の数が単数であると判定する。
【００３１】
図４は、本実施形態に係る無線通信システムの一例を示す構成図である。本実施形態では、実施形態１で説明した無線通信装置９１の構成に加え、スキャン切替部１７を備える。
【００３２】
スキャン実行部１１は、帰属可能な基地局９２を、アクティブ方式又はパッシブ方式で検出する。スキャン切替部１７は、スキャン実行部１１の検出方式の設定を切り替える。スキャン切替部１７がスキャン実行部１１の検出方式をアクティブ方式に設定する。この場合、無線通信装置９１は以下のように動作する。
【００３３】
スキャン実行部１１は、ネットワーク固有の識別子であるＥＳＳＩＤを含むプローブ要求信号を送信して、ＥＳＳＩＤを有する基地局９２から基地局固有の識別子であるＢＳＳＩＤを含むプローブ応答信号を受信する。スキャン結果格納部１２は、スキャン実行部１１の受信したプローブ応答信号から抽出したＢＳＳＩＤを格納する。無線通信環境判定部１５は、スキャン結果格納部１２が格納したＢＳＳＩＤが複数である場合は基地局９２の数が複数であると判定し、ＢＳＳＩＤが単数である場合は基地局９２の数が単数であると判定する。
【００３４】
本実施形態では、無線通信装置９１に代えて、本実施形態に係る無線通信プログラムをコンピュータに実行させてもよい。本実施形態に係る無線通信プログラムでは、図３に示す実施形態１で説明した無線通信プログラムに加え、以下のようにコンピュータに実行させる。
【００３５】
スキャン実行ステップＳ２１１において、スキャン実行部１１がネットワーク固有の識別子であるＥＳＳＩＤを含むプローブ要求信号を送信して、ＥＳＳＩＤを有する基地局９２から基地局９２固有の識別子であるＢＳＳＩＤを含むプローブ応答信号を受信する。スキャン結果格納ステップＳ２１２において、スキャン実行部１１の受信したプローブ応答信号から抽出したＢＳＳＩＤをスキャン結果格納部１２に格納する。無線通信環境判定ステップＳ２１３において、スキャン結果格納部１２に格納されているＢＳＳＩＤが複数である場合は基地局９２の数が複数であると判定し、ＢＳＳＩＤが単数である場合は基地局９２の数が単数であると判定する。ハンドオーバースイッチステップＳ２１４では、無線通信環境判定ステップＳ２１３で複数であると判定した場合には帰属処理部１４を動作させ、無線通信環境判定ステップＳ２１３で単数であると判定した場合には帰属処理部１４を動作停止させる。これにより、コンピュータを無線通信装置９１として機能させることができる。
【００３６】
（実施形態３）
本実施形態では、実施形態１で説明した帰属可能な基地局９２の検出をパッシブ方式で行なう。以下、具体的に説明する。
【００３７】
本実施形態に係る無線通信方法は、図２に示す実施形態１に係る無線通信方法と同様の手順を有する。本実施形態に係る無線通信方法では、スキャン実行手順Ｓ１１１において、パッシブ方式でスキャンを行なう。
【００３８】
スキャン実行手順Ｓ１１１において、ネットワーク固有の識別子であるＥＳＳＩＤ及び基地局９２固有の識別子であるＢＳＳＩＤを含むビーコン信号を無線通信装置９１で受信する。スキャン結果格納手順Ｓ１１２において、スキャン実行手順Ｓ１１１で受信したビーコン信号から抽出したＢＳＳＩＤを格納する。無線通信環境判定手順Ｓ１１３において、スキャン結果格納手順Ｓ１１２で格納したＢＳＳＩＤが複数である場合は基地局９２の数が複数であると判定し、ＢＳＳＩＤが単数である場合は基地局９２の数が単数であると判定する。
【００３９】
本実施形態に係る無線通信システムは、図４に示す実施形態２に係る無線通信システムと同様の構成を備える。本実施形態では、実施形態１で説明した無線通信装置９１の構成に加え、スキャン切替部１７を備える。
【００４０】
スキャン実行部１１は、帰属可能な基地局９２を、パッシブ方式で検出する。スキャン切替部１７は、スキャン実行部１１の検出方式の設定を切り替える。スキャン切替部１７がスキャン実行部１１の検出方式をパッシブ方式に設定する。この場合、無線通信装置９１は以下のように動作する。
【００４１】
スキャン実行部１１は、ネットワーク固有の識別子であるＥＳＳＩＤ及び基地局９２固有の識別子であるＢＳＳＩＤを含むビーコン信号を受信する。スキャン結果格納部１２は、スキャン実行部１１の受信したビーコン信号から抽出したＢＳＳＩＤを格納する。無線通信環境判定部１５は、スキャン結果格納部１２が格納したＢＳＳＩＤを抽出し、抽出したＢＳＳＩＤが複数である場合は基地局９２の数が複数であると判定し、抽出したＢＳＳＩＤが単数である場合は基地局９２の数が単数であると判定する。
【００４２】
本実施形態では、無線通信装置９１に代えて、本実施形態に係る無線通信プログラムをコンピュータに実行させてもよい。本実施形態に係る無線通信プログラムでは、図３に示す実施形態１で説明した無線通信プログラムに加え、以下のようにコンピュータに実行させる。
【００４３】
スキャン実行ステップＳ２１１において、スキャン実行部１１がネットワーク固有の識別子であるＥＳＳＩＤ及び基地局９２固有の識別子であるＢＳＳＩＤを含むビーコン信号を受信する。スキャン結果格納ステップＳ２１２において、スキャン実行部１１の受信したビーコン信号から抽出したＢＳＳＩＤをスキャン結果格納部１２に格納する。無線通信環境判定ステップＳ２１３において、スキャン結果格納部１２に格納されているＢＳＳＩＤが複数である場合は基地局９２の数が複数であると判定し、ＢＳＳＩＤが単数である場合は基地局９２の数が単数であると判定する。ハンドオーバースイッチステップＳ２１４では、無線通信環境判定ステップＳ２１３で複数であると判定した場合には帰属処理部１４を動作させ、無線通信環境判定ステップＳ２１３で単数であると判定した場合には帰属処理部１４を動作停止させる。これにより、コンピュータを無線通信装置９１として機能させることができる。
【００４４】
（実施形態４）
図５は、本実施形態に係る無線通信システムの一例を示す構成図である。本実施形態では、実施形態１で説明した無線通信装置９１の構成に加え、帰属可能な基地局９２をスキャン実行部１１に検出させるスキャン制御部１８を備え、本実施形態に係る無線通信方法を実行する。
【００４５】
図６は、本実施形態に係る無線通信方法の一例を示す流れ図である。本実施形態に係る無線通信方法では、図２に示すスキャン実行手順Ｓ１１１の前に、スキャン制御手順Ｓ１１５をさらに有する。スキャン制御手順Ｓ１１５では、予め定めた条件を判定する。スキャン制御手順Ｓ１１５で予め定めた条件と一致したと判定した場合に、スキャン実行手順Ｓ１１１を実行する。予め定めた条件は、例えば、基地局９２からの受信レベルが予め定められた値を下回ったとき、又は、一定時間経過したとき、又は、無線通信装置９１が起動したときがある。
【００４６】
本実施形態では、無線通信装置９１に代えて、本実施形態に係る無線通信プログラムをコンピュータに実行させてもよい。図７は、本実施形態に係る無線通信プログラムの一例を示す流れ図である。本実施形態に係る無線通信プログラムでは、図３に示すスキャン実行ステップＳ２１１の前に、スキャン制御ステップＳ２１５をさらに有する。これにより、コンピュータを無線通信装置９１として機能させることができる。
【００４７】
予め定めた条件が、基地局９２からの受信レベルが予め定められた値を下回ったときの場合について説明する。
図６に示す本実施形態に係る無線通信方法では、スキャン制御手順Ｓ１１５において、基地局９２からの受信レベルが予め定められた値を下回ったことを判定する。この場合、スキャン制御手順Ｓ１１５において受信レベルが予め定められた値を下回ったときに、スキャン実行手順Ｓ１１１を実行する。これにより、通信品質が低下したときに、帰属可能な新たな基地局９２を検出することができる。
【００４８】
図５に示す本実施形態に係る無線通信装置９１では、スキャン制御部１８は、通信部１３の受信レベルが予め定められた値を下回ったことを判定する。そして、通信部１３の受信レベルが予め定められた値を下回ったときに、スキャン制御部１８は、帰属可能な基地局９２をスキャン実行部１１に検出させる。これにより、通信品質が低下したときに、帰属可能な新たな基地局９２を検出することができる。
【００４９】
図７に示す本実施形態に係る無線通信プログラムでは、スキャン制御ステップＳ２１５において、通信部１３の受信レベルが予め定められた値を下回ったことを判定する。そして、スキャン制御ステップＳ２１５において通信部１３の受信レベルが予め定められた値を下回ったと判定したときにスキャン実行ステップＳ２１１を実行する。これにより、通信品質が低下したときに、帰属可能な新たな基地局９２を検出することができる。
【００５０】
帰属可能な基地局９２が複数ある場合であっても、無線通信装置９１の位置によっては基地局９２が検出できずにハンドオーバーが無効になっている可能性がある。また、無線通信装置９１の位置によって、帰属可能な基地局９２が検出できていない場合がある。このような場合に、帰属可能な基地局９２を新たに検出することができる。これにより、通信品質を向上することができる。
【００５１】
予め定めた条件が、一定時間経過したときの場合について説明する。
図６に示す本実施形態に係る無線通信方法では、スキャン制御手順Ｓ１１５において、一定時間経過したことを判定する。この場合、スキャン制御手順Ｓ１１５において一定時間経過したときに、スキャン実行手順Ｓ１１１を実行する。これにより、帰属可能な基地局９２を一定時間ごとに確認することができる。
【００５２】
図５に示す本実施形態に係る無線通信装置９１では、スキャン制御部１８は、一定時間経過したことを判定する。そして、スキャン制御部１８は、一定時間ごとに、帰属可能な基地局９２をスキャン実行部１１に検出させる。これにより、帰属可能な基地局９２を一定時間ごとに確認することができる。
【００５３】
図７に示す本実施形態に係る無線通信プログラムでは、スキャン制御ステップＳ２１５において、一定時間経過したことを判定する。そして、スキャン制御ステップＳ２１５において一定時間経過したと判定したときにスキャン実行ステップＳ２１１を実行する。これにより、帰属可能な基地局９２を一定時間ごとに確認することができる。
【００５４】
無線通信装置９１が移動すると、帰属可能な基地局９２が変化する。このような場合に、帰属可能な基地局９２の数を一定時間ごとに確認することで、帰属可能な基地局９２を新たに検出することができる。これにより、通信品質を向上することができる。
【００５５】
予め定めた条件が、無線通信装置９１が起動したときの場合について説明する。
図６に示す本実施形態に係る無線通信方法では、スキャン制御手順Ｓ１１５において、無線通信装置９１が起動したことを判定する。この場合、スキャン制御手順Ｓ１１５において一定時間経過したときに、スキャン実行手順Ｓ１１１を実行する。これにより、通信開始時点において帰属可能な基地局９２を検出することができる。
【００５６】
図５に示す本実施形態に係る無線通信装置９１では、スキャン制御部１８は、無線通信装置９１の起動時に、帰属可能な基地局９２をスキャン実行部１１にスキャンさせる。これにより、通信開始時点において帰属可能な基地局９２を検出することができる。
【００５７】
図７に示す本実施形態に係る無線通信プログラムでは、スキャン制御ステップＳ２１５において、無線通信装置９１が起動したことを判定してスキャン実行部１１を動作させる。これにより、通信開始時点において帰属可能な基地局９２を検出することができる。
【００５８】
無線通信装置９１が起動した時点では、帰属可能な基地局９２は不明である。このような場合に、帰属可能な基地局９２を検出することができる。これにより、無線通信装置９１の通信開始に、ハンドオーバー機能の動作の有無を適切に判断することができる。
【００５９】
（実施形態５）
本実施形態に係る無線通信システムは、図４に示す実施形態２に係る無線通信システムと同様の構成を備える。無線通信システムは、一般に無線ＬＡＮ（Ｌｏｃａｌ  Ａｒｅａ  Ｎｅｔｗｏｒｋ）システムと呼ぶことができる。この場合、無線通信装置９１は、無線ＬＡＮ端末と呼ぶことができる。
【００６０】
無線通信環境において、無線通信装置９１を起動させた場合、スキャン実行部１１はスキャンを開始する。このとき、スキャン切替部１７はパッシブ方式で行なうかアクティブ方式で行なうかを設定する。スキャン実行部１１からスキャン結果格納部１２に問い合わせを行ない、設定された方式でスキャンを開始する。
【００６１】
スキャン実行部１１は、スキャンを行ない周辺環境の基地局９２を検知したら、ＥＳＳＩＤと呼ばれる無線ＬＡＮを識別するためのＩＤとＢＳＳＩＤと呼ばれるＢＳＳ（Ｂａｓｉｃ  Ｓｅｒｖｉｃｅ  Ｓｅｔ）の識別子である基地局９２のＭＡＣアドレスをスキャン結果格納部１２に保存する。帰属処理部１４は、スキャン結果格納部１２に保存されたＥＳＳＩＤが同一、かつ、ＢＳＳＩＤが複数かどうかを確認して、ハンドオーバー設定を有効に設定するか否かを判定する。
【００６２】
ハンドオーバースイッチ部１６は、ハンドオーバー設定の有効と無効を切り替える。ハンドオーバー設定が有効の場合、帰属処理部１４は、帰属可能な基地局９２のなかで最も受信レベルの高い基地局９２に帰属する処理を行なう。ハンドオーバー設定が無効の場合、帰属処理部１４は、帰属可能な基地局９２に帰属する処理を行なう。
【００６３】
図８は、本実施形態に係る無線通信方法の一例を示す流れ図である。本実施形態に係る無線通信方法では、スキャン開始手順Ｓ１２１と、スキャン方式判定手順Ｓ１２２と、ビーコン受信手順Ｓ１２３と、プローブ要求信号送信手順Ｓ１２４と、プローブ応答信号受信手順Ｓ１２５と、ＢＳＳＩＤ数判定手順Ｓ１２６と、ハンドオーバー機能有効化手順Ｓ１２７と、ハンドオーバー機能無効化手順Ｓ１２８と、を有する。
【００６４】
スキャン方式判定手順Ｓ１２２と、ビーコン受信手順Ｓ１２３と、プローブ要求信号送信手順Ｓ１２４と、プローブ応答信号受信手順Ｓ１２５と、は、図２に示すスキャン実行手順Ｓ１１１に含まれる。ＢＳＳＩＤ数判定手順Ｓ１２６は、図２に示す無線通信環境判定手順Ｓ１１３に含まれる。ハンドオーバー機能有効化手順Ｓ１２７と、ハンドオーバー機能無効化手順Ｓ１２８と、は、図２に示すハンドオーバースイッチ手順Ｓ１１４に含まれる。
【００６５】
無線通信環境において、無線通信装置９１を起動させた場合、スキャン開始手順Ｓ１２１を実行する。スキャンはある特定のＥＳＳＩＤに対して行ない、同一のＥＳＳＩＤをもつ基地局９２があるかどうかを検索する。スキャン方式判定手順Ｓ１２２を実行し、スキャン方式がアクティブ方式であるかパッシブ方式であるかを判定する。
【００６６】
スキャン方式がパッシブ方式の場合、無線通信装置９１はパッシブスキャンを行なう。例えば、ビーコン信号受信手順Ｓ１２３を実行する。これにより、周辺に存在する基地局９２が送信するビーコン（報知情報）を検索する。ビーコンは、ＥＳＳＩＤに加えＢＳＳＩＤを含む。ＢＳＳＩＤは、基地局９２ごとのＭＡＣアドレスである。
【００６７】
スキャン方式がアクティブ方式の場合、無線通信装置９１はアクティブスキャンを行なう。例えば、プローブ要求信号送信手順Ｓ１２４と、プローブ応答信号受信手順Ｓ１２５と、を順に実行する。プローブ要求信号送信手順Ｓ１２４では、プローブ要求信号に、検索したいＥＳＳＩＤ情報を付して、無線通信装置９１が使用したい周波数を使用して無線送信し、周辺の基地局９２に問い合わせをする。プローブ応答信号受信手順Ｓ１２５では、同一のＥＳＳＩＤが設定されている基地局９２がプローブ応答信号を無線通信装置９１に送信し、無線通信装置９１はプローブ応答信号を受信する。このとき、同一のＥＳＳＩＤが設定されている基地局９２が複数存在すれば、複数のプローブ応答信号を受信することになる。プローブ応答信号は、各基地局９２のＢＳＳＩＤ（ＭＡＣアドレス）情報を含む。
【００６８】
ＢＳＳＩＤ数判定手順Ｓ１２６では、検知したＢＳＳＩＤのうち、同一のＥＳＳＩＤであり、かつ、ＢＳＳＩＤが複数かどうかを確認する。ＢＳＳＩＤが複数であれば１つのＥＳＳＩＤに複数の基地局９２が存在する環境と判断できるため、ハンドオーバー機能を有効に設定する（Ｓ１２７）。ＢＳＳＩＤが１つであれば１つのＥＳＳＩＤに１つの基地局９２しか存在しない環境と判断できるため、ハンドオーバー機能を無効に設定する（Ｓ１２８）。
【００６９】
ＥＳＳＩＤに対するＢＳＳＩＤが１つしか検出できなかった場合でも、ＥＳＳ（Ｅｘｔｅｎｄｅｄ  Ｓｅｒｖｉｃｅ  Ｓｅｔ）セル範囲内の端であるために、基地局９２が１つしか検出できない場合もある。この場合に、ハンドオーバー機能が無効に設定されたときは、帰属しているＥＳＳＩＤに対してのみ予め設定しておいた受信レベルを下回った、又は、一定時間経過したときにスキャン開始手順Ｓ１２１を実行してもよい。
【００７０】
以上は無線通信装置９１を起動した場合について述べたが、これに限定しない。例えば、あるＥＳＳＩＤのセル外に移動した場合は、基地局からのビーコン信号やプローブ応答信号が受信できなくなるため、通信圏外となる。この場合に、スキャン開始手順Ｓ１２１を実行してもよい。
【００７１】
このほか、通信圏外の状態が一定時間の間継続した場合、帰属していた基地局から十分離れていると判断して、無線通信装置９１の起動時と同様に、実施形態に係る無線通信方法を実行してもよい。
【産業上の利用可能性】
【００７２】
本発明は情報通信産業に適用することができる。
【符号の説明】
【００７３】
１１：スキャン実行部
１２：スキャン結果格納部
１３：通信部
１４：帰属処理部
１５：無線通信環境判定部
１６：ハンドオーバースイッチ部
１７：スキャン切替部
１８：スキャン制御部
９１：無線通信装置
９２：基地局
【図１】
2011049787.tif 000003
【図２】
2011049787.tif 000004
【図３】
2011049787.tif 000005
【図４】
2011049787.tif 000006
【図５】
2011049787.tif 000007
【図６】
2011049787.tif 000008
【図７】
2011049787.tif 000009
【図８】
2011049787.tif 000010